(57)【特許請求の範囲】
【請求項１】
遊技盤に配設されて所要の動作を行なう可動体を備える遊技機であって、
前記遊技盤に取付けられた本体に配設され、初期状態および作動状態の間を変化可能な第１の可動体と、
前記第１の可動体に連携され、第１状態および第２状態の間を変化することで第１の可動体を初期状態および作動状態の間で変化させる第１連動部材と、
前記第１連動部材を、前記第１の可動体を作動状態に変化させる第２状態となるように付勢する弾性部材と、
前記本体に配設され、初期状態および作動状態の間を変化可能な第２の可動体と、
前記第２の可動体に連携され、第１状態および第２状態の間を変化することで第２の可動体を初期状態および作動状態の間で変化させる第２連動部材と、
前記本体に配設された単一のモータに連結され、該モータの作動により回転することで、前記第１連動部材に設けた第１被当接部および前記第２連動部材に設けた第２被当接部に対して接離可能な当接部を有する作動部材とを備え、
前記作動部材の初期位置において前記当接部は、前記第２連動部材の第２被当接部に対しては非当接状態で、前記第１連動部材の第１被当接部に当接して該第１連動部材を前記弾性部材の付勢力に抗して第１状態に保持して前記第１の可動体を初期状態に保持するよう設定され、
前記当接部に第１被当接部が当接する前記第１連動部材に対する前記弾性部材による付勢力が減少する方向に初期位置の前記作動部材を前記モータの作動により回転することで、弾性部材の付勢により第１連動部材が第１状態から第２状態に向けて変化するのに伴って前記第１の可動体が初期状態から作動状態に向けて変化されると共に、第１の可動体の始動後に、作動部材の当接部が前記第２連動部材の第２被当接部に当接して該第２連動部材を第１状態から第２状態に向けて変化させることで前記第２の可動体が初期状態から作動状態に向けて変化するよう構成した
ことを特徴とする遊技機。
【請求項２】
第２状態に変化した前記第２連動部材を第１状態に向けて付勢する第２の弾性部材と、前記作動部材が初期位置となる状態で該作動部材に設けた被検知部を検知する検知手段とを備え、
前記第２被当接部に当接部が当接して前記第２連動部材を第２状態に保持している前記作動部材を、前記モータの逆回転により初期位置に向けて回転することで、前記第２の弾性部材の付勢により第２連動部材および前記第２の可動体が第１状態および初期状態に戻されるよう構成し、
前記第２の可動体の始動後に、前記作動部材の当接部が前記第１連動部材の第１被当接部に当接して該第１連動部材および前記第１の可動体を第１状態および初期状態に向けて変化させるようにすると共に、前記検知手段が被検知部を検知したときに前記モータを停止することで作動部材を初期位置で停止させるようにした請求項１記載の遊技機。
【請求項３】
前記作動部材は、前記モータの回転軸との連結部を挟む一方の端部側に前記当接部が設けられると共に、他方の端部側に前記被検知部が設けられる請求項２記載の遊技機。
【発明の詳細な説明】
【技術分野】
【０００１】
この発明は、遊技機の演出に伴い、単一のモータにより作動される２つの可動体を備える遊技機に関するものである。
【背景技術】
【０００２】
パチンコ機、スロットマシンあるいはパチンコ式スロットマシン等の遊技機では、遊技中に発生する毎回の始動および停止を含む変動制御条件に基いて図柄組合わせゲームを展開すると共に、特別遊技状態に係る権利とされる図柄組合わせ条件を成立表示することのできる遊技装置として、ドラム式図柄表示装置、ベルト式図柄表示装置、液晶式図柄表示装置等の各種形態の図柄表示装置が好適に採用されている。
【０００３】
前記各図柄表示装置において、図柄組合わせゲームの演出として、図柄を高速・低速で変動させたり、液晶表示装置であればキャラクターを表示させたりと、遊技者に対して興趣を高める演出が数々行なわれている。また近年は、図柄表示装置の近傍に補助装置を設け、該補助装置での補助演出を行なうパチンコ機も開発されている。例えば、前記補助装置としては、特許文献１に開示されるように、図柄表示装置の左右前面に手の形を模した可動体を夫々揺動可能に配設し、図柄表示装置の可変表示部で行なわれる表示態様に関連して各可動体を作動するよう構成したものがある。
【特許文献１】特開２００１−３８００５号公報
【発明の開示】
【発明が解決しようとする課題】
【０００４】
前記特許文献１に開示の補助装置では、左右の可動体の夫々にソレノイドが配設され、各ソレノイドの励磁・消磁により可動体が夫々作動するよう構成されているため、単調な動作しか行なうことができない。また各可動体に夫々ソレノイドが配設されるため、部品点数が多くなってコストが嵩む問題がある。更に、前記各可動体を作動させるに際してソレノイド毎に制御する必要があるので、各可動体の作動制御が複雑となる難点も指摘される。
【０００５】
すなわち、本発明は、前述した従来の技術に内在している前記課題に鑑み、これを好適に解決するべく提案されたものであって、部品点数を低減すると共に、２つの可動体に複雑な動作を行なわせ得る遊技機を提供することを目的とする。
【課題を解決するための手段】
【０００６】
前記課題を克服し、所期の目的を達成するため、本願の請求項１に係る遊技機は、
遊技盤(J)に配設されて所要の動作を行なう可動体を備える遊技機であって、
前記遊技盤(J)に取付けられた本体(19)に配設され、初期状態および作動状態の間を変化可能な第１の可動体(16)と、
前記第１の可動体(16)に連携され、第１状態および第２状態の間を変化することで第１の可動体(16)を初期状態および作動状態の間で変化させる第１連動部材(27)と、
前記第１連動部材(27)を、前記第１の可動体(16)を作動状態に変化させる第２状態となるように付勢する弾性部材(31)と、
前記本体(19)に配設され、初期状態および作動状態の間を変化可能な第２の可動体(17)と、
前記第２の可動体(17)に連携され、第１状態および第２状態の間を変化することで第２の可動体(17)を初期状態および作動状態の間で変化させる第２連動部材(34)と、
前記本体(19)に配設された単一のモータ(38)に連結され、該モータ(38)の作動により回転することで、前記第１連動部材(27)に設けた第１被当接部(27e)および前記第２連動部材(34)に設けた第２被当接部(34d)に対して接離可能な当接部(39a)を有する作動部材(39)とを備え、
前記作動部材(39)の初期位置において前記当接部(39a)は、前記第２連動部材(34)の第２被当接部(34d)に対しては非当接状態で、前記第１連動部材(27)の第１被当接部(27e)に当接して該第１連動部材(27)を前記弾性部材(31)の付勢力に抗して第１状態に保持して前記第１の可動体(16)を初期状態に保持するよう設定され、
前記当接部(39a)に第１被当接部(27e)が当接する前記第１連動部材(27)に対する前記弾性部材(31)による付勢力が減少する方向に初期位置の前記作動部材(39)を前記モータ(38)の作動により回転することで、弾性部材(31)の付勢により第１連動部材(27)が第１状態から第２状態に向けて変化するのに伴って前記第１の可動体(16)が初期状態から作動状態に向けて変化されると共に、第１の可動体(16)の始動後に、作動部材(39)の当接部(39a)が前記第２連動部材(34)の第２被当接部(34d)に当接して該第２連動部材(34)を第１状態から第２状態に向けて変化させることで前記第２の可動体(17)が初期状態から作動状態に向けて変化するよう構成したことを特徴とする。
請求項１の発明によれば、２つの可動体を単一のモータで作動するよう構成したから、部品点数を低減して製造コストを低廉に抑えることができる。また、作動部材を一方向に回転するだけで、２つの可動体の作動タイミングをずらすことができ、両可動体に複雑な動作を行なわせて興趣を向上し得る。更に、第１の可動体を作動状態に付勢する手段として弾性部材の付勢力を利用するようにしたので、リンク機構やクランク機構等の複雑な構成にすることなく第１の可動体を作動させることができ、部品点数を少なくして構成の簡略化を図り得る。
【０００７】
請求項２に係る遊技機は、第２状態に変化した前記第２連動部材(34)を第１状態に向けて付勢する第２の弾性部材(36)と、前記作動部材(39)が初期位置となる状態で該作動部材(39)に設けた被検知部(39b)を検知する検知手段(41)とを備え、
前記第２被当接部(34d)に当接部(39a)が当接して前記第２連動部材(34)を第２状態に保持している前記作動部材(39)を、前記モータ(38)の逆回転により初期位置に向けて回転することで、前記第２の弾性部材(36)の付勢により第２連動部材(34)および前記第２の可動体(17)が第１状態および初期状態に戻されるよう構成し、
前記第２の可動体(17)の始動後に、前記作動部材(39)の当接部(39a)が前記第１連動部材(27)の第１被当接部(27e)に当接して該第１連動部材(27)および前記第１の可動体(16)を第１状態および初期状態に向けて変化させるようにすると共に、前記検知手段(41)が被検知部(39b)を検知したときに前記モータ(38)を停止することで作動部材(39)を初期位置で停止させるようにした。
請求項２の発明によれば、第２の可動体を初期状態に付勢する手段として第２の弾性部材の付勢力を利用するようにしたので、リンク機構やクランク機構等の複雑な構成にすることなく第２の可動体を作動させることができ、部品点数を少なくして構成の更なる簡略化を図り得る。また、作動部材の被検知部を検知手段で検知して該作動部材を初期位置で停止させることができるから、第１および第２の可動体の夫々を確実に初期状態に戻すことができる。
【０００８】
請求項３に係る遊技機は、前記作動部材(39)は、前記モータ(38)の回転軸(38a)との連結部を挟む一方の端部側に前記当接部(39a)が設けられると共に、他方の端部側に前記被検知部(39b)が設けられる。
請求項３の発明によれば、作動部材におけるモータ回転軸との連結部を挟んで当接部が設けられる端部側とは反対の端部側に被検知部を設けるようにしたから、第１あるいは第２連動部材の被当接部と干渉させることなく検知手段を配設することができる。
【発明の効果】
【０００９】
本発明に係る遊技機によれば、２つの可動体を単一のモータで作動するよう構成したから、部品点数を低減して製造コストを低廉に抑えることができる。また２つの可動体の作動タイミングをずらすことができ、複雑な動作を行なわせて興趣を向上し得る。
【発明を実施するための最良の形態】
【００１０】
次に、本発明に係る遊技機につき、好適な実施例を挙げて、添付図面を参照しながら以下詳細に説明する。なお、本実施例では、遊技機としてパチンコ機を挙げて説明するが、これに限定されるものでなく、スロットマシンあるいはパチンコ式スロットマシン等にも実施可能である。また、実施例において、「前・後」および「左・右」とは、図２に示すように遊技盤を正面から視た状態で指称するものとする。
【実施例】
【００１１】
(遊技盤について)
図２に示すように、実施例に係るパチンコ機の遊技盤Ｊは、略円形状に湾曲形成したレール１０により画成された遊技領域Ｉの前側において、縦央やや下部に位置して遊技球をスイッチで検出し得る始動入賞具１１と、この始動入賞具１１の直上方に位置して該遊技盤Ｊを装飾する装飾部材１２と、該始動入賞具１１の下方に位置する大型電動式の入賞装置Ｍ等が配設されている。そして、前記装飾部材１２に開設した可視表示部１３に、前記始動入賞具１１への遊技球の通入に応じて図柄を変動表示させ、所要の図柄組合わせゲーム(主たる遊技演出)を行なう図柄表示装置Ｋが後方から臨んでいる。なお、前記遊技盤Ｊにおける遊技領域Ｉには、該遊技盤Ｊを装飾する各種の装飾ランプ(図示せず)が配設されている。
【００１２】
また前記入賞装置Ｍは、図柄表示装置Ｋの大当り成立時に対する特別遊技状態として、開成作動条件が付与される大型の入賞装置であって、図２に示すように、特別入賞具１４に対設された扉状の開閉板１５が、後側の電磁ソレノイドに係る設定駆動条件に基づいて、通常の閉鎖状態から開放状態に変化されるようになっている。そして、特別入賞具１４の後側内部にセーフ球用のカウントスイッチが組込まれている(図示せず)。
【００１３】
(補助演出装置について)
図２に示すように、前記図柄表示装置Ｋが臨む前記装飾部材１２の上方位置に、「ブラインド」を模した第１の可動体１６および「手」を模した第２の可動体１７を備える補助演出装置１８が配設されており、該補助演出装置１８では、図柄表示装置Ｋでの図柄組合わせゲームに合わせて、第１の可動体１６および第２の可動体１７を作動することで補助的な演出を行ない得るよう構成されている。補助演出装置１８は、前記第１および第２の可動体１６,１７が配設された本体１９を介して、前記装飾部材１２に取付けられる。
【００１４】
(本体について)
前記補助演出装置１８の本体１９は、図２または図３に示すように、略横長矩形状で左右方向の略中央から左側に偏った上面が下方傾斜するように形成された枠部１９ａと、該枠部１９ａにおける左右方向の略中央より左側内部に配設されて前後を仕切る壁部１９ｂとから構成され、該壁部１９ｂが配設されていない枠部内部の左右方向の略中央より右側に、前後に開口する開口部１９ｃが開設されている。そして、前記枠部１９ａにおける開口部１９ｃの前側に、前記第１の可動体１６が配設されて、該開口部１９ｃを開閉するよう構成される。また本体１９には、前記開口部１９ｃの後方に離間して、前記第２の可動体１７に関連する装飾体２０が取付けられた装飾板１９ｄが配設されて、実施例では「ブラインド」を模した第１の可動体１６と装飾板１９ｄとの間に室を画成して、該室内に第２の可動体１７と装飾体２０とを収容している。なお実施例の装飾体２０は、図３に示す如く、「手」を模した第２の可動体１７に対応する「人形」としてある。また前記壁部１９ｂの前面には、前記図柄表示装置Ｋで行なわれる演出等に関連する絵が描かれたり、または写真等が貼着されることで所要の意匠が施されている。
【００１５】
(第１の可動体および第２連動部材について)
前記第１の可動体１６は、前述したように「ブラインド」を模したものであって、左右方向に離間する索体２１,２１で、複数の羽根板２２を上下方向に離間して相互に連結して構成され、索体２１,２１を上下方向に移動することで各羽根板２２の角度が変化するようになっている。すなわち、各索体２１は、図１に示す如く、前記本体１９の下部に配設された第１支持部材２３と、本体１９の上部に配設された第２支持部材２４との間に架け渡され、該索体２１に所定間隔毎に羽根板２２が取付けられている。左右方向に離間する一対の第２支持部材２４,２４は、本体１９に回動自在に配設された作動軸２５の左右両端に取付けられて、両第２支持部材２４,２４は作動軸２５と一体的で回転するよう構成される。そして、作動軸２５を一方向に回転して索体２１,２１を上下方向に移動した場合は、各羽根板２２の一部が前後に重なって開口部１９ｃを遮蔽している初期状態としての遮蔽状態(図１参照)から、各羽根板２２が略水平となって前後に重ならなくなることで開口部１９ｃを開放する作動状態としての開放状態(図６参照)に変化し、また作動軸２５を他方向に回転して索体２１,２１を上下方向に移動した場合は、各羽根板２２が開放状態から遮蔽状態に変化して開口部１９ｃを遮蔽するよう設定される。
【００１６】
前記壁部１９ｂに近接する左側に位置する第２支持部材２４の配設位置より後方に、上下方向に延在するガイド部材２６が、壁部１９ｂから後方に所定間隔離間して本体１９に配設され、該ガイド部材２６と壁部１９ｂとの間に第１連動部材２７が上下動自在に配設されている。この第１連動部材２７は、図５に示す如く、上下方向に延在する本体部２７ａの上端部に、前方に延出する延出部２７ｂが形成されると共に、該延出部２７ｂには係合ピン２８が側方(実施例では右方)に向けて突設されている。また左側に位置する第２支持部材２４には、後方に延出する二股状の係合部２９が設けられ、該係合部２９に形成された係合溝２９ａに前記係合ピン２８が係合し、係合部２９と係合ピン２８との係合作用下に、第１連動部材２７の上下動に連動して前記作動軸２５が正逆方向に回転するよう構成される。すなわち、第１の可動体１６と第１連動部材２７とは、係合ピン２８および係合部２９を介して連繋されて、第１連動部材２７が上下に移動(変化)することで、前記第１の可動体１６が遮蔽状態と開放状態とに変化するようになっている。なお、実施例では第１連動部材２７が最上方に位置する状態が第１状態とされて、このときに第１の可動体１６が遮蔽状態となり、第１連動部材２７が最下方に位置する状態が第２状態とされて、このときに第１の可動体１６が開放状態となるよう設定される。またガイド部材２６には、前方に突出する案内突起２６ａが上下方向に離間して複数設けられ、該案内突起２６ａを第１連動部材２７における本体部２７ａの後面に接触させることで、該第１連動部材２７を安定して上下動させるようにしてある。
【００１７】
前記第１連動部材２７の下端部に第１フック片２７ｃが形成されると共に、第１連動部材２７の配設位置より下方の本体１９(壁部後面)に第１係止部３０が突設され、第１フック片２７ｃと第１係止部３０との間に弾性部材としての第１引張りバネ３１が弾力的に掛装されて、第１連動部材２７は、常に第１の可動体１６を開放状態とする第２状態に向けて第１引張りバネ３１で付勢されるよう構成される。すなわち、第１連動部材２７に後述する作動部材３９が当接していない状態では、第１連動部材２７が第２状態に保持されると共に、第１の可動体１６が開放状態に保持されるようになっている(図７参照)。なお、前記壁部１９ｂの後面に、ストッパ３２が後方に向けて突設され、該ストッパ３２に、第１連動部材２７における本体部２７ａの対応する位置に設けられた規制部２７ｄが上方から当接することで、該第１連動部材２７は第２状態を越えて下方に移動しないよう構成される。
【００１８】
前記第１連動部材２７の本体部２７ａには、後方に延出する第１被当接部２７ｅが形成され、該第１被当接部２７ｅは、前記ガイド部材２６に形成されて上下方向に所定長さで延在するスリット２６ｂに挿通されている。そして、ガイド部材２６から後方に延出する第１被当接部２７ｅに、後述する作動部材３９の当接部３９ａが接離するよう構成され、該作動部材３９の回転に伴って第１連動部材２７が前記第１状態と第２状態とに変化するようになっている。
【００１９】
(第２の可動体および第２連動部材について)
前記第１の可動体１６の後方に位置する本体１９には、左右方向に延在する支持軸３３が配設されており、該支持軸３３に第２連動部材３４が回動自在に軸支されている。第２連動部材３４には、前述したように「手」を模した第２の可動体１７が一体的に配設(連繋)されており、第２連動部材３４の正逆回転に伴って第２の可動体１７が初期状態と作動状態とに変化するよう構成される。実施例では、第２の可動体１７は、「手」における人差指１７ａを前方に突出した形状とされ、この人差指１７ａが第１の可動体１６における羽根板２２に当接しない状態が初期状態としての退避状態(図１参照)とされ、該人差指１７ａが羽根板２２を押し下げる状態が作動状態としての押下げ状態(図８参照)とされる。
【００２０】
前記第２連動部材３４の後端上部に第２フック片３４ａが形成されると共に、後述するモータ３８の取付部材３７における第２連動部材３４の配設位置より後方の位置に第２係止部３５が突設され、第２フック片３４ａと第２係止部３５との間に第２の弾性部材としての第２引張りバネ３６が弾力的に掛装されて(図４参照)、第２連動部材３４は、常に第２の可動体１７を退避状態とする第１状態に向けて第２引張りバネ３６で付勢されるよう構成される。すなわち、第２連動部材３４に後述する作動部材３９が当接していない状態では、第２連動部材３４が第１状態に保持されると共に、第２の可動体１７が退避状態に保持されるようになっている(図１参照)。なお、第２連動部材３４の下部後端側に第１規制片３４ｂが設けられ、第２引張りバネ３６により第１状態となるように付勢されている第２連動部材３４は、図１に示す如く、第１規制片３４ｂが本体１９(下側の枠部１９ａ)に当接することで、それ以上の回転が規制されて第１状態に保持されるようになっている。また第２連動部材３４の下部前端側に第２規制片３４ｃが設けられ、作動部材３９により第２状態に回転される第２連動部材３４は、図８に示す如く、第２規制片３４ｃが本体１９(下側の枠部１９ａ)に当接することで、それ以上の回転が規制されて第２状態に保持されるようになっている。
【００２１】
前記第２連動部材３４における左側部(後述するモータ３８に近接する側)に、左方に延出する第２被当接部３４ｄが形成され、該第２被当接部３４ｄは、前記第１連動部材２７における第１被当接部２７ｅの下方に所定間隔離間して臨んでいる。そして、第２被当接部３４ｄに、後述する作動部材３９の当接部３９ａが接離するよう構成され、該作動部材３９の回転に伴って第２連動部材３４が前記第１状態と第２状態とに変化するようになっている。
【００２２】
(モータについて)
前記本体１９における第２連動部材３４の配設位置より左方の後側に、後方に延出するように取付部材３７が着脱自在に配設されると共に、該取付部材３７には、単一のモータ３８の回転軸３８ａを挿通し得る挿通孔(図示せず)が左右方向に貫通するよう形成されている。そして、取付部材３７の左側に、挿通孔に回転軸３８ａを挿通させた状態で単一のモータ３８がネジ止めされる。また、前記取付部材３７の挿通孔から右側(第２連動部材３４の配設側)に延出したモータ３８の回転軸３８ａに、前記第１連動部材２７および第２連動部材３４を作動する作動部材３９が一体的に回転するように配設されている。
【００２３】
なお、前記モータ３８は、図示しない制御回路装置から発信されるパルス信号によって作動制御され、作動部材３９を、後述する当接部３９ａが前記第１連動部材２７の第１被当接部２７ｅに当接して該第１連動部材２７を第１状態に保持することで第１の可動体１６を遮蔽状態とする初期位置、当接部３９ａが前記第２連動部材３４の第２被当接部３４ｄに当接して該第２連動部材３４を第２状態に保持することで第２の可動体１７を押下げ状態とする作動位置、あるいは当接部３９ａが両被当接部２７ｅ,３４ｄの何れにも当接しない中間位置等、任意の位置に停止し得るよう構成されている。
【００２４】
(作動部材について)
前記作動部材３９は、図１に示すように、長尺な略矩形状に形成されて、その長手方向の略中央部が、前記モータ３８の回転軸３８ａに連結されて一体的に回動するよう構成される。作動部材３９の前端部には、当接部３９ａが設けられており、該当接部３９ａが、前記第１連動部材２７の第１被当接部２７ｅと前記第２連動部材３４の第２被当接部３４ｄとの間に臨み、該作動部材３９の回転によって当接部３９ａが第１被当接部２７ｅおよび第２被当接部３４ｄに対して接離するよう設定される。すなわち作動部材３９は、当接部３９ａが第２連動部材３４の第２被当接部３４ｄに対しては非当接状態で、第１連動部材２７の第１被当接部２７ｅに下方から当接して、該第１連動部材２７を第１引張りバネ３１の付勢力に抗して第１状態に保持する状態が初期位置とされ、このときには第１の可動体１６は遮蔽状態に保持されるよう構成される。そして、作動部材３９の当接部３９ａが下方に移動する方向(第１連動部材２７に対する第１引張りバネ３１による付勢力が減少する方向)にモータ３８の作動により作動部材３９を回転することで、該当接部３９ａが前記第２連動部材３４の第２被当接部３４ｄに上方から当接してこれを第２引張りバネ３６の付勢力に抗して押し下げ、該２連動部材３４を第２状態に保持する状態が作動位置とされ(図８参照)、このときには第２の可動体１７は押下げ状態に保持されるよう構成される。なお、実施例において作動部材３９の回転方向については、当接部３９ａが第１被当接部２７ｅから第２被当接部３４ｄに向けて移動する方向の回転を正回転とし、該当接部３９ａが第２被当接部３４ｄから第１被当接部２７ｅに向けて移動する方向の回転を逆回転と指称するものとする。
【００２５】
前記作動部材３９の当接部３９ａは、前記ストッパ３２に規制部２７ｄが当接した第２状態となっている第１連動部材２７の第１被当接部２７ｅと、第１規制片３４ｂが本体１９に当接した第１状態となっている第２連動部材３４の第２被当接部３４ｄとの両方に当接しない中間位置が存在するよう設定され、作動部材３９が中間位置となっている状態では第１の可動体１６が開放状態に保持されると共に、第２の可動体１７が退避状態に保持されるよう構成される。そして、この中間位置からモータ３８の作動によって作動部材３９を正回転することで当接部３９ａが第２連動部材３４の第２被当接部３４ｄに対して上方から当接して押し下げ、また作動部材３９を逆回転することで当接部３９ａが第１連動部材２７の第１被当接部２７ｅに対して下方から当接して押し上げるようになる。すなわち、作動部材３９は、第１の可動体１６が遮蔽状態から開放状態に向けて動作を開始した後(始動後)に、第２の可動体１７を退避状態から押下げ状態に向けて作動すると共に、第２の可動体１７が押下げ状態から退避状態に向けて動作を開始した後(始動後)に、第１の可動体１６を開放状態から遮蔽状態に向けて作動するよう構成される。
【００２６】
(原位置スイッチについて)
前記取付部材３７には、前記制御回路装置にコネクタを介して接続するスイッチ基板４０が着脱自在に配設されると共に、該基板４０には検知手段としての原位置スイッチ４１が配設され、該原位置スイッチ４１は、前記作動部材３９における前記当接部３９ａとは回転軸３８ａとの連結部を挟んで反対側である後端部に設けられた被検知部３９ｂを検知可能に構成される。原位置スイッチ４１は、作動部材３９が初期位置となっているときに、被検知部３９ｂを検知するよう位置決めされており、該原位置スイッチ４１が被検知部３９ｂを検知したときに、制御回路装置が前記モータ３８を停止制御することで、第１の可動体１６および第２の可動体１７を遮蔽状態および退避状態に保持するようにしてある。なお、原位置スイッチ４１としては、発光素子と受光素子とを離間して対向配置したフォトセンサが好適に使用されるが、磁気センサや機械式のセンサ等、各種の手段を採用し得る。
【００２７】
ここで、前記制御回路装置は、被検知部３９ｂが原位置スイッチ４１で検知されている状態(作動部材３９の初期位置)を基準として、前記モータ３８に対して発信するパルス数を調整することで、作動部材３９を前述した作動位置や中間位置等の任意の位置で停止したり、あるいは所定角度範囲で往復移動を繰返すことができるよう構成される。なお、制御回路装置から発信されるパルス数は、前記図柄表示装置Ｋでの図柄組合わせゲームに応じて設定されて、前記第１の可動体１６および第２の可動体１７を関連付けて作動させるようになっている。
【００２８】
(照明装置について)
前記本体１９には、前記第１の可動体１６と装飾板１９ｄとで画成される室内を照明し得る照明装置４２が配設されている。この照明装置４２は、図３に示す如く、本体１９における枠部１９ａの上部に配設されたランプ基板４２ａと、該ランプ基板４２ａに配設された複数のＬＥＤ等のランプ４２ｂとから基本的に構成され、該ランプ基板４２ａが図示しないランプ制御装置に接続されて、前記図柄表示装置Ｋでの図柄組合わせゲーム、あるいは前記第１の可動体１６および第２の可動体１７の動作に関連付けてランプ４２ｂを点滅させるよう構成される。なお実施例では、前記第２の可動体１７が押下げ状態となったときにランプ４２ｂを点灯し、該第２の可動体１７が押下げ状態から退避状態に戻る際に消灯するよう設定されている。
【００２９】
〔実施例の作用〕
次に、前述した構成に係る実施例の遊技機の作用につき説明する。
【００３０】
前記装飾部材１２に配設した前記補助演出装置１８は、常には前記作動部材３９が初期位置に保持されており、図１に示す如く、該作動部材３９の当接部３９ａが前記第１連動部材２７の第２被当接部２７ｅに下方から当接して、該第１連動部材２７を介して「ブラインド」を模した前記第１の可動体１６が開口部１９ｃを遮蔽する遮蔽状態に保持されている。なお、このとき前記第２連動部材３４の第２被当接部３４ｄに対して作動部材３９の当接部３９ａは非当接状態となっており、該第２連動部材３４が前記第２引張りバネ３６の付勢力によって第１状態に保持されることで、「手」を模した前記第２の可動体１７は第１の可動体１６の羽根板２２から後方に離間した退避位置に保持されている。また作動部材３９の被検知部３９ｂが、前記原位置スイッチ４１で検知されている。
【００３１】
前述した状態で、前記図柄表示装置Ｋでの図柄組合わせゲームに応じて設定されたパルス数が前記制御回路装置から発信され、前記モータ３８が正転方向に回転して前記作動部材３９を正回転させると、該作動部材３９の当接部３９ａが下方に向けて移動する。すなわち、作動部材３９は初期位置から作動位置に向けて回転する。このとき、前記第１連動部材２７は第１引張りバネ３１の付勢力によって、作動部材３９における当接部３９ａの下方への移動に伴って下方へ移動し、前記係合ピン２８に係合部２９を介して係合している第２支持部材２４が配設された作動軸２５が所定方向に回転する。これにより、前記一対の索体２１,２１が上下方向に移動することで、複数の羽根板２２の角度が夫々水平姿勢となるように変化して、前記第１の可動体１６が徐々に開放する。そして、第１連動部材２７の規制部２７ｄが前記ストッパ３２に上方から当接して位置規制されると、図６に示す如く、第１の可動体１６は開放状態に保持され、遊技者から開放状態の第１の可動体１６を通して内部が視認可能となる。
【００３２】
前記モータ３８の正転方向の回転が継続して前記作動部材３９が更に正回転すると、図７に示す如く、前記ストッパ３２により下方への移動が規制された前記第１連動部材２７の第１被当接部２７ｅに対して前記当接部３９ａが下方に離間する。次いで、該当接部３９ａが前記第２連動部材３４の第２被当接部３４ｄに上方から当接するに至る。それ以後は、作動部材３９の正回転に伴って当接部３９ａにより第２被当接部３４ｄが押し下げられ、これにより第２連動部材３４が第１状態から第２状態に回転し、該第２連動部材３４と共に回転する前記第２の可動体１７は、人差指１７ａが第１の可動体１６の羽根板２２を押し下げた押下げ状態となる(図８参照)。このとき前記第２引張りバネ３６が引張られ、第２連動部材３４は第１状態となる方向に向けて付勢される。また、第２連動部材３４の前記第２規制片３４ｃが本体１９に当接し、第２連動部材３４のそれ以上の回転は規制され、第２の可動体１７は押下げ状態に保持される。すなわち、第２連動部材３４が第２状態を越えて回転するのは規制されるから、第２の可動体１７が必要以上に回転することで第１の可動体１６を損傷させることはない。
【００３３】
前記第２の可動体１７が押下げ状態となったときに、前記照明装置４２のランプ４２ｂが点灯し、前記第１の可動体１６の後方の室内が照明される。従って、遊技者からは、前記装飾板１９ｄに配設されている装飾体２０である人形および第２の可動体１７の「手」を視認することができ、あたかも人形が、その手の指でブラインドを押し下げた動作を行なっているように見える。
【００３４】
次に、前記モータ３８が逆転方向に回転して前記作動部材３９を逆回転させると、該作動部材３９の当接部３９ａが上方に向けて移動する。すなわち、作動部材３９は作動位置から初期位置に向けて回転する。このとき、前記第２連動部材３４は第２引張りバネ３６の付勢力によって、作動部材３９における当接部３９ａの上方への移動に伴って第１状態に向けて回転し、これに連動して第２の可動体１７が押下げ状態から退避状態に向けて移動する。これにより、前記第１の可動体１６における第２の可動体１７で押し下げられていた各羽根板２２が元の状態に戻る。そして、第２連動部材３４の第１規制片３４ｂが本体１９に当接して位置規制されると、図７に示す如く、第２の可動体１７は退避状態に保持される。なお、第２の可動体１７が押下げ状態から退避状態に戻る際に、前記照明装置４２のランプ４２ｂが消灯し、遊技者からは室内が見えなくなる。
【００３５】
前記モータ３８の逆転方向の回転が継続して前記作動部材３９が更に逆回転すると、図６に示す如く、前記第１規制片３４ｂにより回転が規制された前記第２連動部材３４の第２被当接部３４ｄに対して前記当接部３９ａが上方に離間する。次いで、該当接部３９ａが前記第１連動部材２７の第１被当接部２７ｅに下方から当接するに至る。それ以後は、作動部材３９の逆回転に伴って当接部３９ａにより第１被当接部２７ｅが押し上げられ、これにより第１連動部材２７が前記第１引張りバネ３１の付勢力に抗して第２状態から第１状態に移動し、該第１連動部材２７に連動して移動する前記第１の可動体１６は遮蔽状態となる(図１参照)。また、前記作動部材３９の被検知部３９ｂが前記原位置スイッチ４１により検知され、前記制御回路装置によりモータ３８が停止制御されることで作動部材３９は初期位置で停止し、当該補助演出装置１８においては、第１の可動体１６および第２の可動体１７が、初期の遮蔽状態および退避状態に戻った位置で動作を停止する。
【００３６】
このように、前記図柄表示装置Ｋでの図柄組合わせゲームに応じて補助演出装置１８における第１および第２の可動体１６,１７を作動(変化)させることで、視覚的な演出効果が向上されて遊技の興趣を増大することが可能となる。このとき、前記第１および第２の可動体１６,１７を単一のモータ３８の回転により作動するようにしてあるから、補助演出装置１８の組付けに必要な部品点数を少なくでき、装置自体の小型化を図り得ると共に、モータ３８を複数配設することに伴うコストの増大を防止することができる。また、単一のモータ３８を制御するだけで第１および第２の可動体１６,１７を作動させ得るので、各可動体１６,１７の作動制御を簡単に行なうことが可能である。更に、前記第１の可動体１６と第２の可動体１７の作動タイミングをずらすよう構成したから、より一層視覚的な演出効果が向上されて遊技の興趣を増大し得る。
【００３７】
前記補助演出装置１８における第１の可動体１６を開放状態に付勢する手段および第２の可動体１７を退避状態に付勢する手段として引張りバネ３１,３６の付勢力を利用するようにしたので、リンク機構やクランク機構等の複雑な構成にすることなく第１および第２の可動体１６,１７を作動させることができ、部品点数を少なくして該装置１８の構成の簡略化を図り得る。
【００３８】
なお、実施例では、前記作動部材３９が配設されたモータ３８および原位置スイッチ４１を、前記取付部材３７に纏めて配設しているから、モータ３８、原位置スイッチ４１および作動部材３９がユニット化されて、これらを一体的に取扱うことができる。
【００３９】
ここで、前述したように前記モータ３８は制御回路装置によりパルス制御され、かつ前記作動部材３９は、その当接部３９ａが第１連動部材２７の第１被当接部２７ｅおよび第２連動部材３４の第２被当接部３４ｄの何れにも当接しない中間位置が設定されるよう構成したから、例えば作動部材３９を初期位置と中間位置との間を往復回転するようにモータ３８を制御することで、補助演出装置１８において第１の可動体１６のみを作動する演出を行なうことができる。また作動部材３９を中間位置と作動位置との間を往復回転するようにモータ３８を制御することで、補助演出装置１８において第１の可動体１６を開放状態に保持したもとで、第２の可動体１７のみを作動する演出を行なうこともできる。
【００４０】
〔変更例〕
本願は前述した実施例の構成に限定されるものでなく、その他の構成を適宜に採用することができる。
１. 実施例では第１の可動体として「ブラインド」を模したものを挙げ、第２の可動体として「ブラインド」の羽根板を押し下げる「手」を模したものを挙げたが、両可動体としては、これに限定されるものでなく、初期状態と作動状態とに変化可能な構成であれば、各種形態のものを採用することができる。
２. 実施例では、作動状態に変化した第１の可動体に、第２の可動体を接触させて姿勢や状態を変化させる場合で説明したが、両可動体の配設位置を設定変更することで、第１の可動体と第２の可動体とを干渉させることなく、両可動体を所要のタイミングで作動させる構成を採用し得る。
３. 実施例では、各可動体を所定方向に付勢する弾性部材として引張りバネを採用した場合で説明したが、該弾性部材としてはこれに限定されるものでなく、圧縮バネや捻じりバネあるいはゴム等、その他各種の部材を採用することができる。
４. 実施例では、第１の可動体が開放状態(作動状態)となった後に第２の可動体の動作が開始されると共に、第２の可動体が退避状態(初期状態)となった後に第１の可動体の動作が開始するよう構成した場合で説明したが、両可動体の作動タイミングはこれに限定されるものでない。すなわち、作動部材の当接部と両可動体の被当接部との位置関係を変更することで、第１の可動体が初期状態から作動状態に至る前に第２の可動体の動作が開示されると共に、第２の可動体が作動状態から初期状態に至る前に第１の可動体の動作が開示されるようにすることができる。
５. 実施例では、照明装置におけるランプの点灯・消灯の制御について、第２の可動体の動きに合わせて点灯および消灯を行なう場合で説明したが、該照明装置の点灯・消灯の制御はこれに限定されるものでなく、演出内容に応じて適宜に変更することができる。
６. 実施例では、装飾部材に補助演出装置を配設した場合で説明したが、該補助演出装置を装飾部材とは別に遊技盤に配設してもよい。また図柄表示装置に関しては、図柄を変動表示し得るものであれば、液晶式、ドラム式あるいはベルト式等の各種の方式のものを採用し得る。
【００４１】
本発明の具体構成としては、以下の限定が可能である。
〔付記〕
付記に係る遊技機は、前記作動部材(39)の当接部(39a)は、前記モータ(38)の正回転により前記第１連動部材(27)の第１被当接部(27e)に対して非当接状態になった後に、前記第２連動部材(34)の第２被当接部(34d)に当接するよう構成した。
そして、付記の発明によれば、作動部材の当接部は、第１連動部材の第１被当接部に対して非当接状態になった後に、第２連動部材の第２被当接部に当接するよう構成したから、第１の可動体のみを作動することが可能となる。
【図面の簡単な説明】
【００４２】
【図１】本発明の実施例に係る補助演出装置を、第１の可動体が遮蔽状態で第２の可動体が退避状態となっている状態で示す概略縦断側面図である。
【図２】実施例に係る補助演出装置が実施されるパチンコ機の遊技盤を示す正面図である。
【図３】実施例に係る補助演出装置から第１の可動体を取外した状態で示す概略正面図である。
【図４】実施例に係る補助演出装置の要部背面図である。
【図５】実施例に係る補助演出装置における第１連動部材とガイド部材との関係を示す概略縦断側面図である。
【図６】実施例に係る補助演出装置を、第１の可動体が開放状態で第２の可動体が退避状態となっている状態で示す概略縦断側面図である。
【図７】実施例に係る補助演出装置を、第１の可動体が開放状態で第２の可動体が退避状態となっている状態で示す概略縦断側面図である。
【図８】実施例に係る補助演出装置を、第１の可動体が開放状態で第２の可動体が押下げ状態となっている状態で示す概略縦断側面図である。
【符号の説明】
【００４３】
１６  第１の可動体
１７  第２の可動体
１９  本体
２７  第１連動部材
２７ｅ  第１被当接部
３１  第１引張りバネ(弾性部材)
３４  第２連動部材
３４ｄ  第２被当接部
３６  第２引張りバネ(第２の弾性部材)
３８  モータ
３８ａ  回転軸
３９  作動部材
３９ａ  当接部
３９ｂ  被検知部
４１  原位置スイッチ(検知手段)
Ｊ  遊技盤
【図１】
0004619920.tif 000002
【図２】
0004619920.tif 000003
【図３】
0004619920.tif 000004
【図４】
0004619920.tif 000005
【図５】
0004619920.tif 000006
【図６】
0004619920.tif 000007
【図７】
0004619920.tif 000008
【図８】
0004619920.tif 000009